(57)【要約】【課題】再生停止を抑制しつつ、高解像度化処理を施した映像再生を行うことのできる情報処理装置及び映像再生方法を提供する。【解決手段】この情報処理装置は、記録媒体から読み出される圧縮ストリームデータから圧縮ビデオデータと圧縮サブピクチャデータとを分離するストリームデータ分離部２００と、前記光記録媒体の再生を制御する主制御部とバス１１９を介して接続されて、前記圧縮ビデオデータをデコードしたデータを高解像度化して変換ビデオデータを生成する第１の変換処理部１１２と、前記圧縮サブピクチャデータをデコードしたデータを高解像度化して変換サブピクチャデータを生成する第２の変換処理部２０４と、前記変換ビデオデータと前記変換サブピクチャデータとを合成して表示部に出力する描画部とを具備する。【選択図】図４
2010035230.tif 000002
【特許請求の範囲】
【請求項１】
第１の符号化データと第２の符号化データとが多重化されたストリームデータの再生制御を行なう第１のプロセッサと、
前記第１のプロセッサとバスを介して接続される第２のプロセッサと、
前記ストリームデータから前記第１の符号化データと前記第２の符号化データとを分離する分離手段と、
前記第１の符号化データをデコードしたデータを、前記第２のプロセッサ上で高解像度化して第１の画像データを生成する第１の変換処理手段と、
前記第２のプロセッサとは異なるハードウェア上で、前記第２の符号化データをデコードしたデータを高解像度化して第２の画像データを生成する第２の変換処理手段と、
前記第１の画像データと前記第２の画像データとを合成した画像を表示装置に出力する描画手段と、
を具備することを特徴とする情報処理装置。
【請求項２】
前記第２の変換処理手段及び前記描画手段は、グラフィクスプロセッシングユニットに実装されることを特徴とする請求項１に記載の情報処理装置。
【請求項３】
前記第２のプロセッサは、前記第１の符号化データをデコードするデコーダを有することを特徴とする請求項１に記載の情報処理装置。
【請求項４】
第１の符号化データと第２の符号化データとが多重化されたストリームデータから前記第１の符号化データと前記第２の符号化データとを分離する分離ステップと、
主制御部とバスを介して接続されるプロセッサ上で前記第１の符号化データをデコードしたデータを高解像度化して第１の画像データを生成する第１の変換処理ステップと、
前記プロセッサとは異なるハードウェア上で、前記第２の符号化データをデコードしたデータを高解像度化して第２の画像データを生成する第２の変換処理ステップと、
前記第１の画像データと前記第２の画像データとを合成した画像を表示装置に出力する描画ステップとを含むことを特徴とする映像再生方法。
【請求項５】
前記第２の変換処理ステップ及び前記描画ステップは、グラフィクスプロセッシングユニットにおいて実行されることを特徴とする請求項４に記載の映像再生方法。
【請求項６】
前記第１の変換処理ステップは、前記プロセッサ上で前記第１の符号化データをデコードすることを特徴とする請求項４に記載の映像再生方法。
【発明の詳細な説明】
【技術分野】
【０００１】
本発明は、情報処理装置及び映像再生方法に関する。
【背景技術】
【０００２】
コンピュータのマルチメディア化に伴い、最近では、ＤＶＤ(Digital Versatile Disk)
の再生が可能なＤＶＤドライブを搭載したコンピュータが普及しつつある。１枚のＤＶＤ
−ＲＯＭメディアには、片面で現在のＣＤ−ＲＯＭの約７倍にあたる４．７Ｇバイト程度
のデータを記録することができ、両面記録では９．４Ｇバイト程度のデータを記録できる
。このＤＶＤ−ＲＯＭメディアを使用することにより、大量の映像情報を含む映画等の動
画像をコンピュータ上で高品質に再生することが可能となる。
【０００３】
ＤＶＤ−ＲＯＭメディアに記録されるビデオ情報のデータ構造はＤＶＤビデオ規格で定
められている。ビデオ情報は、大別すると、プレゼンテーションデータとナビゲーションデータの２種類のデータに分けられる。
【０００４】
プレゼンテーションデータは再生されるビデオオブジェクトの集合であり、ビデオ、サ
ブピクチャ、及びオーディオから構成されている。ビデオデータはＭＰＥＧ−２方式で圧
縮符号化される。サブピクチャはビットマップデータであり、映画の字幕や、メニュー画
面上の選択肢の表示などに用いられる。１つのビデオオブジェクトには、１チャネルのビ
デオデータ、最大８チャネルまでのオーディオデータ、最大３２チャネルまでのサブピク
チャデータを含ませることができる。
【０００５】
近年、動画像のデジタル圧縮符号化技術の進展に伴い、ＨＤ（High Definition）規格
の高精細映像を扱うことが可能な再生装置（プレーヤ）が普及し始めている。また、最近
では、このＨＤ規格の高精細映像をパーソナルコンピュータで扱えるようにするためのソ
フトウェア開発も進められている（例えば、特許文献１参照）。
【０００６】
特許文献１に記載される情報処理装置では、カーソルが定義されたコンテンツをマルチ
ウインドウ環境下で再生する際に並存する２つのカーソルを、ポインティングデバイス操
作に応じて適切に操作できるとしている。
【先行技術文献】
【特許文献】
【０００７】
【特許文献１】特開２００８−４０８２６号公報
【発明の概要】
【発明が解決しようとする課題】
【０００８】
しかし、従来の情報処理装置では、ＤＶＤの再生動作中もバックグランドで様々な内部
処理を行っている。特にＤＶＤの再生時は通常動作時よりも内部処理の負荷が大になるこ
とから、ＳＤ（Standard Definition）規格の映像を高精細なＨＤ規格の映像に変換して
再生し、さらに字幕表示やメニュー操作を行なわせようとすると、内部処理の負荷がさら
に大になり、状況によっては動画の再生が途切れて不連続になる等の問題がある。
【０００９】
従って、本発明の目的は、再生停止を抑制しつつ、高解像度化処理を施した映像再生を
行うことのできる情報処理装置及び映像再生方法を提供することにある。
【課題を解決するための手段】
【００１０】
本発明は上記目的を達成するため、第１の符号化データと第２の符号化データとが多重化されたストリームデータの再生制御を行なう第１のプロセッサと、前記第１のプロセッサとバスを介して接続される第２のプロセッサと、前記ストリームデータから前記第１の符号化データと前記第２の符号化データとを分離する分離手段と、前記第１の符号化データをデコードしたデータを、前記第２のプロセッサ上で高解像度化して第１の画像データを生成する第１の変換処理手段と、前記第２のプロセッサとは異なるハードウェア上で、前記第２の符号化データをデコードしたデータを高解像度化して第２の画像データを生成する第２の変換処理手段と、前記第１の画像データと前記第２の画像データとを合成した画像を表示装置に出力する描画手段と、を具備することを特徴とする情報処理装置を提供する。
【００１１】
また、本発明は上記目的を達成するため、第１の符号化データと第２の符号化データとが多重化されたストリームデータから前記第１の符号化データと前記第２の符号化データとを分離する分離ステップと、主制御部とバスを介して接続されるプロセッサ上で前記第１の符号化データをデコードしたデータを高解像度化して第１の画像データを生成する第１の変換処理ステップと、前記プロセッサとは異なるハードウェア上で、前記第２の符号化データをデコードしたデータを高解像度化して第２の画像データを生成する第２の変換処理ステップと、前記第１の画像データと前記第２の画像データとを合成した画像を表示装置に出力する描画ステップとを含むことを特徴とする映像再生方法を提供する。
【発明の効果】
【００１２】
本発明によれば、再生停止を抑制しつつ、高解像度化処理を施した映像再生を行うこと
ができる。
【図面の簡単な説明】
【００１３】
【図１】本発明の実施の形態に係る情報処理装置を示す斜視図である。
【図２】本発明の実施の形態に係る情報処理装置のシステム構成を示すブロック図である。
【図３】ＤＶＤ再生時のデータの流れについて説明する図である。
【図４】本発明の実施の形態に係る情報処理装置でＤＶＤを再生する際の再生処理を示す図である。
【図５】。本発明の実施の形態に係る情報処理装置でＤＶＤを再生する際の再生処理の流れを示すフローチャートである。
【発明を実施するための形態】
【００１４】
以下に、本発明の実施の形態を、図面を参照して詳細に説明する。図１は、本発明の実
施の形態に係る情報処理装置を示す斜視図である。
【００１５】
（本発明の実施の形態）
この情報処理装置１は、ノートブック型パーソナルコンピュータであり、コンピュータ
本体１１と、ディスプレイユニット１２とから構成されている。ディスプレイユニット１
２には、ＬＣＤ(Liquid Crystal Display)１３から構成される表示装置が組み込まれてい
る。
【００１６】
ディスプレイユニット１２は、コンピュータ本体１１に対して開放位置と閉塞位置との
間を回動自在に取り付けられている。コンピュータ本体１１は、薄い箱形の筐体を有し、
その上面にはキーボード１４、情報処理装置１をパワーオン／パワーオフするための電源
スイッチ１５、タッチパッド１６などが配置されている。
【００１７】
また、コンピュータ本体１１の側面には、光学メディアドライブとしてＤＶＤドライブ
１７が設けられている。ＤＶＤドライブ１７は、ＣＤ(Compact Disc)やＤＶＤ１８等の記
録媒体に対して記録、再生を行うことができる。
【００１８】
図２は、本発明の実施の形態に係る情報処理装置のシステム構成を示すブロック図であ
る。
【００１９】
情報処理装置１は、図２に示されているように、ＣＰＵ１０１、ノースブリッジ１０２
、主メモリ１０３、サウスブリッジ１０４、グラフィクスプロセッシングユニット（ＧＰ
Ｕ）１０５、ビデオメモリ（ＶＲＡＭ）１０５Ａ、サウンドコントローラ１０６、ＢＩＯ
Ｓ−ＲＯＭ１０９、ＬＡＮコントローラ１１０、ハードディスクドライブ（ＨＤＤ）１１
１、ＤＶＤドライブ１７、マルチメディアプロセッサ１１２、カードコントローラ１１３
、無線ＬＡＮコントローラ１１４、ＩＥＥＥ１３９４コントローラ１１５、エンベデッド
コントローラ／キーボードコントローラＩＣ（ＥＣ／ＫＢＣ）１１６、ＴＶチューナ１１
７、及びリモコンユニットインターフェース１１８等を備えている。
【００２０】
ＣＰＵ１０１は、情報処理装置１の動作を制御する主制御部としてのプロセッサであり
、ハードディスクドライブ（ＨＤＤ）１１１から主メモリ１０３にロードされる、オペレ
ーティングシステム（ＯＳ）及びＤＶＤアプリケーションプログラムのような各種アプリ
ケーションプログラムを実行する。ＤＶＤアプリケーションプログラムは、ＤＶＤに対す
る記録再生機能を実行するためのソフトウェアである。また、ＣＰＵ１０１は、ＢＩＯＳ
−ＲＯＭ１０９に格納されたＢＩＯＳ（Basic Input Output System）も実行する。ＢＩ
ＯＳはハードウェア制御のためのプログラムである。
【００２１】
ノースブリッジ１０２は、ＣＰＵ１０１のローカルバスとサウスブリッジ１０４との間
を接続するブリッジデバイスである。ノースブリッジ１０２には、主メモリ１０３をアク
セス制御するメモリコントローラも内蔵されている。また、ノースブリッジ１０２は、PC
I Express規格のシリアルバス等を介してＧＰＵ１０５との通信を実行する機能も有して
いる。
【００２２】
ＧＰＵ１０５は、情報処理装置１のディスプレイモニタとして使用されるＬＣＤ１３を
制御する表示コントローラである。ＧＰＵ１０５によって生成される表示信号はＬＣＤ１
３に送られる。また、ＧＰＵ１０５は、ＴＶ端子１１９を介して外部のテレビ装置（TV）
１２０にデジタル映像信号を送出することもでき、ＨＤＭＩ制御回路１２１及びＨＤＭＩ
端子１２２を介してＨＤＭＩモニタ１２３にデジタル映像信号を送出することもできる。
【００２３】
サウスブリッジ１０４は、ＬＰＣ（Low Pin Count）バス上の各デバイス、及びＰＣＩ
（Peripheral Component Interconnect）バス上の各デバイスを制御する。また、サウス
ブリッジ１０４は、ハードディスクドライブ（ＨＤＤ）１１１及びＤＶＤドライブ１７を
制御するためのＩＤＥ（Integrated Drive Electronics）コントローラを内蔵している。
さらに、サウスブリッジ１０４は、サウンドコントローラ１０６との通信を実行する機能
も有している。
【００２４】
またさらに、サウスブリッジ１０４には、PCI Express規格のシリアルバスであるPCI E
xpressバス１３５を介してマルチメディアプロセッサ１１２が接続されている。
【００２５】
マルチメディアプロセッサ１１２は、読込手段としてのＤＶＤドライブ１７でＤＶＤを
再生することに基づくＤＶＤ再生データとしての圧縮ストリームデータに含まれるビデオ
データを変換ビデオデータとしてＨＤ（High Definition）規格のデータ（ＨＤ画質デー
タ）へアップコンバートする第１の変換処理部としてのプロセッサである。
【００２６】
本実施の形態では、映画等の映像コンテンツが記録されたＤＶＤ再生時にアップコンバ
ート機能が選択されると、ＭＰＥＧ（Moving Picture Experts Group）２方式に従ってエ
ンコードされたビデオデータ（主映像データ）、オーディオデータ、及び字幕データ等の
サブピクチャデータ（副映像データ）を多重化してなる圧縮ストリームデータがＤＶＤア
プリケーションプログラムによってＤＶＤからＤＶＤ再生データとして読み出される。圧
縮ストリームデータの解像度は、例えば、７２０×４８０又は７２０×５７６である。Ｄ
ＶＤから読み出された圧縮ストリームデータに含まれるビデオデータは、転送速度が高速
なPCI Expressバス１３５を介してマルチメディアプロセッサ１１２に転送されてデコー
ド処理及びＨＤ画質のビデオデータとして、例えば、１９２０×１０８０の解像度にアッ
プコンバート処理された後、ビデオデータとは別にアップコンバート処理されたサブピク
チャデータと合成されて描画処理される。
【００２７】
本実施の形態においては、ＣＰＵ１０１とは異なる専用のプロセッサであるマルチメデ
ィアプロセッサ１１２がバックエンドプロセッサとして使用され、このマルチメディアプ
ロセッサ１１２によって圧縮ストリームデータのデコード処理及びビデオデータのアップ
コンバート処理が実行される。よって、ＣＰＵ１０１の負荷の増加を招くことなく、アッ
プコンバート処理を実行することができる。
【００２８】
サウンドコントローラ１０６は音源デバイスであり、再生対象のオーディオデータをス
ピーカ１９又はＨＤＭＩ制御回路１２１に出力する。
【００２９】
カードコントローラ１１３は、ＰＣカード、ＳＤ(Secure Digital)カードのようなカー
ドを制御する。無線ＬＡＮコントローラ１１４は、たとえばＩＥＥＥ８０２．１１規格の
無線通信を実行する無線通信デバイスである。ＩＥＥＥ１３９４コントローラ１１５は、
ＩＥＥＥ１３９４規格のシリアルバスを介して外部機器との通信を実行する。
【００３０】
エンベデッドコントローラ／キーボードコントローラＩＣ（ＥＣ／ＫＢＣ）１１６は、
電力管理のためのエンベデッドコントローラと、キーボード（ＫＢ）１４及びタッチパッ
ド１６を制御するためのキーボードコントローラとが集積された１チップマイクロコンピ
ュータである。このエンベデッドコントローラ／キーボードコントローラＩＣ（ＥＣ／Ｋ
ＢＣ）１１６は、ユーザによる電源スイッチ１５の操作に応じて情報処理装置１をパワー
オン／パワーオフする機能を有している。さらに、エンベデッドコントローラ／キーボー
ドコントローラＩＣ（ＥＣ／ＫＢＣ）１１６は、リモコンユニットインターフェース１１
８との通信を実行する機能を有している。
【００３１】
ＴＶチューナ１１７は、テレビジョン放送信号によって放送される放送番組データを受
信する受信装置であり、例えば、地上波デジタルＴＶ放送のようなデジタル放送番組デー
タを受信可能なデジタルＴＶチューナとして実現されている。
【００３２】
図３は、ＤＶＤ再生時のデータの流れについて説明する図である。
【００３３】
ＤＶＤを再生することに基づくＤＶＤ再生データは、ビデオデータ、オーディオデータ
、及び字幕データ等のサブピクチャデータを含む圧縮ストリームデータである。以下の説
明では、ＤＶＤから読み出した圧縮ストリームデータをＨＤ画質データとして出力するに
あたって、ビデオデータ及びサブピクチャデータの流れについて説明する。
【００３４】
圧縮ストリームデータは、ＰＣＩバス１３０、サウスブリッジ１０４、ＤＭＩ(Direct 
Media Interface)バス１３１、ノースブリッジ１０２、データバス１３２を介して主メモ
リ１０３に転送される。
【００３５】
主メモリ１０３に転送された圧縮ストリームデータに含まれるビデオデータは、ＤＶＤ
アプリケーションプログラムの実行に基づいて主メモリ１０３から読み出され、データバ
ス１３２、ノースブリッジ１０２、ＤＭＩバス１３１、サウスブリッジ１０４、PCI Expr
essバス１３５を介してマルチメディアプロセッサ１１２に転送される。
【００３６】
マルチメディアプロセッサ１１２に転送された圧縮ストリームデータは、ＭＰＥＧ２デ
コード処理及びアップコンバート処理の後、ＨＤ画質データとしてPCI Expressバス１３
５、サウスブリッジ１０４、ＤＭＩバス１３１、ノースブリッジ１０２、データバス１３
２を介して主メモリ１０３に再び転送される。
【００３７】
主メモリ１０３に転送されたアップコンバート済みＨＤ画質データであるビデオデータ
は、ＤＶＤアプリケーションプログラムの実行に基づいて主メモリ１０３から再び読み出
され、データバス１３２、ノースブリッジ１０２、及びデータバス１３４を介してＧＰＵ
１０５に転送され、ＧＰＵ１０５からＶＲＡＭ１０５Ａに転送される。
【００３８】
また、主メモリ１０３に転送された圧縮ストリームデータに含まれるサブピクチャデー
タは、ＤＶＤアプリケーションプログラムの実行に基づいて主メモリ１０３から読み出さ
れ、データバス１３２、ノースブリッジ１０２、及びＦＳＢ(Front Side Bus)１３３を介
してＣＰＵ１０１に転送され、ＣＰＵ１０１でＨＤ規格に準じたアップコンバート処理の
後にＦＳＢ１３３、ノースブリッジ１０２、及びデータバス１３２を介してＧＰＵ１０５
に転送され、ＧＰＵ１０５からＶＲＡＭ１０５Ａに転送される。なお、サブピクチャデー
タのアップコンバート処理は、ＧＰＵ１０５で行うことも可能であり、情報処理装置１の
稼動状況に応じてＣＰＵ１０１又はＧＰＵ１０５で行われる。
【００３９】
ＶＲＡＭ１０５Ａに転送されたビデオデータ及びサブピクチャデータは、フレーム毎に
合成された後にＧＰＵ１０５に転送され、ＧＰＵ１０５で描画処理される。なお、ビデオ
データ及びサブピクチャデータは、ＣＰＵ１０１又はＧＰＵ１０５で合成してもよい。
【００４０】
図４は、本発明の実施の形態に係る情報処理装置でＤＶＤを再生する際の再生処理を示
す図である。
【００４１】
ＤＶＤの再生は、情報処理装置１の主メモリ１０３にロードされるＤＶＤアプリケーシ
ョンプログラムによって実行される。このＤＶＤアプリケーションプログラムは、圧縮ス
トリームデータを分離するストリームデータ分離部（分離手段）として機能するとともに
、分離された圧縮ストリームデータの転送を制御するナビゲーションフィルタ２００と、
圧縮ストリームデータに含まれる圧縮されたサブピクチャデータをデコードするサブピク
チャデコーダ２０２、圧縮されたビデオデータのマルチメディアプロセッサ１１２への転
送を制御するマルチメディアプロセッサ制御部２０３とを有するビデオデコーダ２０１と
を有する。
【００４２】
ナビゲーションフィルタ２００は、圧縮ストリームデータに含まれる圧縮されたビデオ
データと圧縮されたサブピクチャデータとを分離し、ビデオデコーダ２０１に出力する。
【００４３】
ビデオデコーダ２０１は、ナビゲーションフィルタ２００から送信される圧縮されたサ
ブピクチャデータをデコードするサブピクチャデコーダ２０２と、アップコンバート処理
が指定されている場合にナビゲーションフィルタ２００から送信される圧縮されたビデオ
データをマルチメディアプロセッサ１１２に送信するマルチメディアプロセッサ制御部２
０３とを有する。
【００４４】
マルチメディアプロセッサ１１２は、マルチメディアプロセッサ制御部２０３から送信
された圧縮されたビデオデータをデコードするデコーダ１１２Ａと、デコードされたベー
スバンドのビデオデータをアップコンバート処理するアップコンバータ１１２Ｂとを有す
る。
【００４５】
また、マルチメディアプロセッサ制御部２０３は、ビデオデータのデコーダを有してお
り、アップコンバート処理が指定されていない場合、圧縮されたビデオデータをベースバ
ンドのＳＤデータに変換する機能を有する。
【００４６】
また、ビデオデコーダ２０１から出力されるベースバンドのサブピクチャデータは、後
段に設けられるアップコンバータ２０４を介してミキサー２０５に送信される。このミキ
サー２０５にはマルチメディアプロセッサ制御部２０３からベースバンドのビデオデータ
が送信される。
【００４７】
アップコンバータ２０４は、サブピクチャデコーダ２０２でデコードされた字幕等のサ
ブピクチャデータを変換サブピクチャデータにアップコンバート処理する第２の変換処理
部である。
【００４８】
ミキサー２０５は、アップコンバート処理されたビデオデータとアップコンバート処理
されたサブピクチャデータとを合成する。
【００４９】
レンダラー２０６は、ビデオデータとサブピクチャデータとが合成された映像データの
画質改善処理を行うと共に、表示させる画像の描画処理を行う。尚ここで、画質改善処理
とは、合成された映像データの色合いの調整等の処理である。
【００５０】
以下に、本発明の情報処理装置におけるＤＶＤの再生動作について、図面を参照しつつ
説明する。以下の説明は、アップコンバート処理を有効にしてＤＶＤ再生を行う場合につ
いてである。
【００５１】
図５は、本発明の実施の形態に係る情報処理装置でＤＶＤを再生する際の再生処理の流
れを示すフローチャートである。
【００５２】
まず、情報処理装置１のオペレーティングシステム（ＯＳ）が起動している状態で、ユ
ーザがキーボード１４及びタッチパッド１６を操作することにより、ＤＶＤアプリケーシ
ョンプログラムを起動する（Ｓ１）。
【００５３】
続いて、情報処理装置１のＤＶＤドライブ１７に映画等の映像コンテンツの記録された
ＤＶＤ１８をセットし、ディスプレイユニット１２のＬＣＤ１３に表示されるＤＶＤアプ
リケーションプログラムの画面表示を見ながらアップコンバート処理を有効にする（Ｓ２
）。
【００５４】
ＣＰＵ１０１は、ＤＶＤドライブ１７で再生された圧縮ストリームデータをＰＣＩバス
１３０、サウスブリッジ１０４、ＤＭＩバス１３１、ノースブリッジ１０２、及びデータ
バス１３２を介して主メモリ１０３に転送させる（Ｓ３）。
【００５５】
主メモリ１０３に転送された圧縮ストリームデータは、主メモリ１０３でロードされて
いるＤＶＤアプリケーションプログラムで暗号化解除処理された後、ナビゲーションフィ
ルタ２００で圧縮されたビデオデータと圧縮されたサブピクチャデータとに分離され、ビ
デオデコーダ２０１にそれぞれ出力される。
【００５６】
圧縮されたビデオデータは、ビデオデコーダ２０１のマルチメディアプロセッサ制御部
２０３に送信される。この圧縮されたビデオデータは、ＤＶＤの再生動作に同期して主メ
モリ１０３から読み出され、データバス１３２、ノースブリッジ１０２、ＤＭＩバス１３
１、サウスブリッジ１０４、及びPCI Expressバス１３５を介してマルチメディアプロセ
ッサ１１２に転送される（Ｓ４）。
【００５７】
マルチメディアプロセッサ１１２は、圧縮されたビデオデータをデコーダ１１２Ａでデ
コードしてベースバンドのビデオデータとし、このビデオデータをアップコンバータ１１
２Ｂで高解像度のＨＤ画質データにアップコンバートする（Ｓ５）。
【００５８】
アップコンバートされた高解像度のＨＤ画質データは、PCI Expressバス１３５、サウ
スブリッジ１０４、ＤＭＩバス１３１、ノースブリッジ１０２、及びデータバス１３２を
介して、主メモリ１０３でロードされているＤＶＤアプリケーションプログラムのマルチ
メディアプロセッサ制御部２０３に再度転送される。（Ｓ６）
【００５９】
ＤＶＤアプリケーションプログラムは、アップコンバート処理されたビデオデータをＧ
ＰＵ１０５に転送する。ＧＰＵ１０５は、ビデオデータをＶＲＡＭ１０５Ａに転送する（
Ｓ７）。
【００６０】
また、ＤＶＤアプリケーションプログラムは、サブピクチャデータをＣＰＵ１０１に転
送する（Ｓ８）。
【００６１】
ＣＰＵ１０１は、サブピクチャデータをアップコンバートし、アップコンバートされた
サブピクチャデータをＧＰＵ１０５に転送する（Ｓ９）。
【００６２】
ＧＰＵ１０５は、転送されたサブピクチャデータをＶＲＡＭ１０５Ａに転送する。ＧＰ
Ｕ１０５は、ＶＲＡＭ１０５Ａに一時的に格納されているＨＤ画質データのビデオデータ
及びサブピクチャデータをミキサー２０５で合成して描画手段としてのレンダラー２０６
に転送する（Ｓ１０）。
【００６３】
レンダラー２０６はビデオデータ及びサブピクチャデータを合成した映像データを描画
処理してディスプレイドライバに出力し、ディスプレイドライバはＬＣＤ１３を駆動して
映像データを画面表示させる（Ｓ１１）。
【００６４】
（本発明の実施の形態の効果）
上記した本発明の実施の形態によると、ビデオデータのデコードやアップコンバート等
の変換処理をPCI Expressバス等の高速な伝送路で接続されたマルチメディアプロセッサ
１１２で行い、変換処理されたビデオデータを高速な伝送路を介して後段の処理回路に転
送するので、デコード処理や、計算量が多く処理時間を要するＨＤ画質データへのアップ
コンバート処理をサブピクチャデータと分離して効率良く行うことができ、そのことによ
ってＤＶＤを再生しながらＨＤ規格の高画質動画を再生させる場合であっても、再生動作
を途切れさせることなく、リアルタイム性を有する高速で安定したデータ変換処理が行え
る。
【００６５】
特に、ベースバンドのデータは、符号化されているビットストリーム信号形式のデータ
よりも情報量が多く、高画質動画であるＨＤ規格の動画であればなおさらである。ビデオ
データのデータ及びサブピクチャデータのアップコンバート処理をマルチメディアプロセ
ッサ１１２で行い、それらの合成をＣＰＵ１０１又はＧＰＵ１０５で行うこととすると、
ＨＤ画質のベースバンドのデータが２つのストリームとしてバス上を流れることとなるの
で、帯域幅を圧迫し、再生遅延の原因となりかねない。そこで本実施の形態では、サブピ
クチャデータはＣＰＵ１０１又はＧＰＵ１０５上で（アップコンバータ２０４が）アップ
コンバートすることとし、バス上を流れるＨＤ画質のベースバンドのデータはマルチメデ
ィアプロセッサ１１２でアップコンバートしたビデオデータのみとしている。これにより
、バス上を流れる情報量を抑制し、これによりリアルタイム性を確保することができる。
【００６６】
また、本実施の形態では、アップコンバート処理のみならず、デコード処理もマルチメ
ディアプロセッサ１１２で行っている。これにより、デコード処理をＣＰＵ１０１又はＧ
ＰＵ１０５で行ってアップコンバート処理のみをマルチメディアプロセッサ１１２で行う
場合と比べ、バス１３１上を流れる情報量を抑制することができ、これによりリアルタイ
ム性を確保することができる。
【００６７】
更に、サブピクチャとして表示される字幕等の画面表示は、ＯＮ／ＯＦＦの切替や、日
本語字幕と他国語字幕との表示切替が再生中に発生する頻度が高いことから、マルチメデ
ィアプロセッサ１１２で行うよりもＣＰＵ１０１やＧＰＵ１０５でデコードすることで、
ユーザのニーズに応じて柔軟に対応することができる。
【００６８】
また、ビデオデータを解像度の高いＨＤ画質データに変換する場合、変換処理部の情報
処理負荷は飛躍的に増大するが、上記した実施の形態の情報処理装置１ではサブピクチャ
の変換処理についてはマルチメディアプロセッサ１１２では行わないので、マルチメディ
アプロセッサ１１２を高解像度化に特定して用いることができ、そのことによってＤＶＤ
再生に基づく映像再生と同期したリアルタイム性を確保できるとともに、高解像度化処理
にあたってより計算量の多いアルゴリズムを選択することが可能になる。
【００６９】
［他の実施の形態］
なお、本発明は、上記実施の形態に限定されず、本発明の技術思想を逸脱あるいは変更
しない範囲内で種々な変形が可能である。
【符号の説明】
【００７０】
１…情報処理装置、１１…コンピュータ本体、１２…ディスプレイユニット、１４…キー
ボード、１５…電源スイッチ、１６…タッチパッド、１７…ＤＶＤドライブ、１８…ＤＶ
Ｄ、１９…スピーカ、１０２…ノースブリッジ、１０３…主メモリ、１０４…サウスブリ
ッジ、１０６…サウンドコントローラ、１１０…ＬＡＮコントローラ、１１２…マルチメ
ディアプロセッサ、１１２Ａ…デコーダ、１１２Ｂ…アップコンバータ、１１３…カード
コントローラ、１１４…無線ＬＡＮコントローラ、１１５…ＩＥＥＥ１３９４コントロー
ラ、１１７…ＴＶチューナ、１１８…リモコンユニットインターフェース、１１９…ＴＶ
端子、１２１…ＨＤＭＩ制御回路、１２２…ＨＤＭＩ端子、１２３…ＨＤＭＩモニタ、１
３０…ＰＣＩバス、１３１…ＤＭＩバス、１３２…データバス、１３３…ＦＳＢ、１３４
…データバス、１３５…PCI Expressバス、２００…ナビゲーションフィルタ、２０１…
ビデオデコーダ、２０２…サブピクチャデコーダ、２０３…マルチメディアプロセッサ制
御部、２０４…アップコンバータ、２０５…ミキサー、２０６…レンダラー
【図１】
2010035230.tif 000003
【図２】
2010035230.tif 000004
【図３】
2010035230.tif 000005
【図４】
2010035230.tif 000006
【図５】
2010035230.tif 000007